(57)【要約】【課題】装置の状態を常に把握することができ、ユーザの利便性を保つことを可能とする画像形成装置等を提供する。【解決手段】複数の機能にそれぞれ対応する複数の処理のうち少なくとも１つの処理を実行する処理実行部と、処理実行部により実行される処理に対応する画像を表示する表示部とを備える。表示部は、表示する画像の種類に依存することなく、表示している画像内の所定領域に、装置の状態を示す情報である状態情報を表示する。【選択図】図２
2010154137.tif 000002
【特許請求の範囲】
【請求項１】
複数の機能を有する画像形成装置であって、
前記複数の機能にそれぞれ対応する複数の処理のうち少なくとも１つの処理を実行する処理実行部と、
前記処理実行部により実行される処理に対応する画像を表示する表示部とを備え、
前記表示部は、表示する画像の種類に依存することなく、表示している画像内の所定領域に、装置の状態を示す情報である状態情報を表示する、
画像形成装置。
【請求項２】
前記画像形成装置は、前記処理実行部により実行される処理により、装置の状態が変化し、
前記表示部は、前記装置の状態の変化に応じて、表示している前記状態情報を変更する、
請求項１に記載の画像形成装置。
【請求項３】
前記画像形成装置は、さらに、
画像を読み取る読取処理を行なう読取部と、
前記読取処理が行なわれることにより取得された画像のデータを記憶する記憶部とを備え、
前記状態情報は、前記記憶部が新たに記憶可能なデータ量に関する情報である、
請求項１または２に記載の画像形成装置。
【請求項４】
複数の機能を有する画像形成装置が行なう情報表示方法であって、
前記複数の機能にそれぞれ対応する複数の処理のうち少なくとも１つの処理を実行する処理実行ステップと、
前記処理実行ステップにより実行される処理に対応する画像を表示する表示ステップとを備え、
前記表示ステップは、表示する画像の種類に依存することなく、表示している画像内の所定領域に、装置の状態を示す情報である状態情報を表示する、
情報表示方法。
【請求項５】
複数の機能を有する画像形成装置が実行する情報表示プログラムであって、
前記情報表示プログラムは、
前記複数の機能にそれぞれ対応する複数の処理のうち少なくとも１つの処理を実行する処理実行ステップと、
前記処理実行ステップにより実行される処理に対応する画像を表示する表示ステップとを備え、
前記表示ステップは、表示する画像の種類に依存することなく、表示している画像内の所定領域に、装置の状態を示す情報である状態情報を表示する、
情報表示プログラム。
【発明の詳細な説明】
【技術分野】
【０００１】
本発明は、画像形成装置、情報表示方法および情報表示プログラムに関し、特に、装置に関する情報を表示するための画像形成装置、情報表示方法および情報表示プログラムに関する。
【背景技術】
【０００２】
ＦＡＸ機能、コピー機能、プリンタ機能、スキャナ機能等の複数の機能を有する複合機が普及しつつある。複合機は、各機能に対応する処理を行なう毎に、処理に応じた様々な情報を表示する。
【０００３】
例えば、特許文献１には、表示する画面内の所定領域に、ステータス情報を表示する複合機が開示されている。
【特許文献１】特開２００７−２３５３３６号公報
【発明の開示】
【発明が解決しようとする課題】
【０００４】
しかしながら、特許文献１に開示されている複合機が表示するステータス情報は、複合機が行なっている処理によっては、表示されない場合もある。
【０００５】
ここで、ステータス情報が、ユーザが、常に、把握しておきたい情報であるとする。例えば、ステータス情報は、メモリにおいて使用可能なデータ量（以下、メモリ残量ともいう）を示す情報であるとする。この場合、特許文献１に開示されている複合機では、ステータス情報を、常に把握することができず、ユーザの利便性が損なわれるという問題点がある。
【０００６】
本発明は、上述の問題点を解決するためになされたものであって、その目的は、装置の状態を常に把握することができ、ユーザの利便性を保つことを可能とする画像形成装置等を提供することである。
【課題を解決するための手段】
【０００７】
上述の課題を解決するために、この発明のある局面に従うと、複数の機能を有する画像形成装置は、複数の機能にそれぞれ対応する複数の処理のうち少なくとも１つの処理を実行する処理実行部と、処理実行部により実行される処理に対応する画像を表示する表示部とを備える。表示部は、表示する画像の種類に依存することなく、表示している画像内の所定領域に、装置の状態を示す情報である状態情報を表示する。
【０００８】
すなわち、表示する画像の種類に依存することなく、表示している画像内の所定領域に、装置の状態を示す状態情報が表示される。したがって、ユーザは装置の状態を常に把握することができ、ユーザの利便性を保つことができる。
【０００９】
この発明の他の局面に従うと、複数の機能を有する画像形成装置が行なう情報表示方法は、複数の機能にそれぞれ対応する複数の処理のうち少なくとも１つの処理を実行する処理実行ステップと、処理実行ステップにより実行される処理に対応する画像を表示する表示ステップとを備える。表示ステップは、表示する画像の種類に依存することなく、表示している画像内の所定領域に、装置の状態を示す情報である状態情報を表示する。
【００１０】
すなわち、表示する画像の種類に依存することなく、表示している画像内の所定領域に、装置の状態を示す状態情報が表示される。したがって、ユーザは装置の状態を常に把握することができ、ユーザの利便性を保つことができる。
【００１１】
この発明のさらに他の局面に従うと、複数の機能を有する画像形成装置が実行する情報表示プログラムは、複数の機能にそれぞれ対応する複数の処理のうち少なくとも１つの処理を実行する処理実行ステップと、処理実行ステップにより実行される処理に対応する画像を表示する表示ステップとを備える。表示ステップは、表示する画像の種類に依存することなく、表示している画像内の所定領域に、装置の状態を示す情報である状態情報を表示する。
【００１２】
すなわち、表示する画像の種類に依存することなく、表示している画像内の所定領域に、装置の状態を示す状態情報が表示される。したがって、ユーザは装置の状態を常に把握することができ、ユーザの利便性を保つことができる。
【発明の効果】
【００１３】
本発明により、装置の状態を常に把握することができ、ユーザの利便性を保つことができる。
【発明を実施するための最良の形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
＜第１の実施の形態＞
（システムの構成）
図１は、本実施の形態におけるネットワークシステム１０００の構成を示す図である。図１に示されるように、ネットワークシステム１０００は、画像形成装置１００と、端末装置２０１と、端末装置２０２と、ルーター６０とを含む。
【００１６】
画像形成装置１００は、ＭＦＰ（Multifunction Peripheral）である。画像形成装置１００は、ＦＡＸ機能、コピー機能、プリンタ機能、スキャナ機能等の複数の機能を有する。なお、画像形成装置１００は、ＭＦＰに限定されることなく、たとえば、ＦＡＸ機能、コピー機能、プリンタ機能の少なくとも１つの機能を有する装置であってもよい。
【００１７】
端末装置２０１および端末装置２０２は、ＰＣ（Personal Computer）である。
【００１８】
画像形成装置１００、端末装置２０１、端末装置２０２およびルーター６０は、ネットワーク２０に接続される。ネットワーク２０は、たとえば、ＬＡＮ（Local Area Network）である。
【００１９】
ルーター６０は、ネットワーク２０とインターネット７０とを接続する機能を有する。
【００２０】
端末装置２０１および端末装置２０２の各々は、ネットワーク２０を介して、画像形成装置１００とデータ通信を行なう。
【００２１】
なお、端末装置２０１および端末装置２０２の少なくとも一方は、ネットワークシステム１０００に含まれなくてもよい。また、端末装置２０１および端末装置２０２は、ネットワークシステム１０００に含まれなくてもよい。
【００２２】
また、画像形成装置１００は、ＰＳＴＮ（Public Switched Telephone Network：公衆交換電話網）４０を利用して、画像形成装置１０１とデータ通信を行なう。
【００２３】
画像形成装置１０１は、画像形成装置１００と同じ装置である。
【００２４】
（画像形成装置）
次に、画像形成装置１００について詳細に説明する。
【００２５】
図２は、画像形成装置１００内のハードウエア構成を示したブロック図である。なお、図２には、説明のために、記録媒体５０も示している。記録媒体５０には、後述するプログラム５１が記録されている。すなわち、プログラム５１は、媒体等に記録されてプログラム製品として流通される。また、記録媒体５０もプログラム製品として流通される。
【００２６】
図２に示されるように、画像形成装置１００は、制御部１１０と、ＲＡＭ（Random Access Memory）１２０と、記憶部１２２と、記憶媒体アクセス部１３０とを備える。制御部１１０、ＲＡＭ１２０、記憶部１２２および記憶媒体アクセス部１３０は、データバス１０２に接続されている。
【００２７】
制御部１１０は、ＣＰＵ（Central Processing Unit）である。なお、制御部１１０は、ＣＰＵに限定されることなく、演算機能を有するその他の回路であってもよい。
【００２８】
ＲＡＭ１２０は、揮発性のメモリである。ＲＡＭ１２０は、制御部１１０によってデータアクセスされる。ＲＡＭ１２０は、一時的にデータを記憶するワークメモリとしての機能を有する。
【００２９】
記憶部１２２は、不揮発性のメモリである。記憶部１２２は、たとえば、ハードディスクドライブである。なお、記憶部１２２は、ハードディスクドライブに限定されることなく、不揮発的のメモリであれば、その他のメモリ（たとえば、フラッシュメモリ）であってもよい。記憶部１２２は、制御部１１０によって、データアクセスされる。記憶部１２２には、プログラム５１、その他の各種データ等が記憶されている。
【００３０】
制御部１１０は、記憶部１２２に記憶されているプログラム５１を実行し、プログラム５１に基づいて、画像形成装置１００内の各部に対する各種処理や、演算処理等を行なう。
【００３１】
記憶媒体アクセス部１３０は、制御部１１０からの指示により、プログラム５１が記憶された記録媒体５０から、プログラム５１を読み出す機能を有する。記録媒体５０に記憶されているプログラム５１は、制御部１１０が行なうインストール処理により、記憶媒体アクセス部１３０により読み出され、記憶部１２２に記憶される。このインストール処理用プログラムは、予め、記憶部１２２に格納されている。インストール処理は、制御部１１０が、インストール処理用プログラムに基づいて行なう。
【００３２】
記録媒体５０は、ＳＤ（Secure Digital）メモリーカードである。なお、記録媒体５０は、ＳＤメモリーカードに限定されることなく、データを不揮発的に記録可能なその他の媒体であってもよい。
【００３３】
画像形成装置１００は、さらに、操作パネル部３００を備える。
【００３４】
操作パネル部３００は、データバス１０２に接続されている。操作パネル部３００は、表示部３１０と、入力部３２０とを有する。
【００３５】
図３は、操作パネル部３００の外観を示す図である。
【００３６】
表示部３１０は、文字や画像等を表示する機能を有する。表示部３１０には、文字や画像等を表示する表示面が設けられる。表示部３１０は、ＬＣＤパネル（Liquid Crystal Display Panel）を使用した装置である。なお、表示部３１０は、上記以外の表示方式のパネルを使用した装置であってもよい。
【００３７】
また、表示部３１０は、ユーザが、表示面に直接触れることで、情報入力可能なタッチパネル機能を有する。表示部３１０は、ユーザが表示面にタッチした位置情報を、制御部１１０へ送信する。制御部１１０は、受信した位置情報に基づいて、所定の処理を行なう。すなわち、表示部３１０は、ユーザが画像形成装置１００を操作するためのインターフェースである。
【００３８】
入力部３２０は、数字ボタン群３２２を含む。数字ボタン群３２２は、複数の数字ボタンを含む。数字ボタン群３２２に含まれる複数の数字ボタンの各々は、ユーザにより押下されることにより、数字を入力するためのボタンである。入力部３２０は、さらに、画像形成装置１００を操作するための複数のボタンを含む。
【００３９】
入力部３２０は、当該入力部３２０に含まれる複数のボタンのうち、ユーザにより押下操作されたボタンに対応するボタン信号を、制御部１１０へ送信する。制御部１１０は、受信したボタン信号に基づいて、所定の処理を行なう。すなわち、入力部３２０は、ユーザが画像形成装置１００を操作するためのインターフェースである。以下においては、ユーザによる、表示部３１０の表示面に対するタッチ操作または入力部３２０の操作を、インターフェース操作Ｍともいう。
【００４０】
再度、図２に示されるように、画像形成装置１００は、さらに、スキャナ部１５０と、印刷部１６０と、通信部１７０と、モデム１７２と、ＮＣＵ１７４とを備える。
【００４１】
スキャナ部１５０は、原稿を読み取ることにより画像を取得する機能を有する。原稿は、例えば、紙等の媒体である。以下においては、スキャナ部１５０が原稿を読み取ることにより画像を取得する処理を、原稿読取り処理という。
【００４２】
印刷部１６０は、紙等の媒体に、指示された画像または文字を印字してプリントアウトする機能（以下、印刷機能という）を有する。以下においては、印刷部１６０が、紙等の媒体に、画像または文字を印字してプリントアウトするための処理を印刷処理という。
【００４３】
通信部１７０は、有線技術または無線技術を利用して、ネットワーク２０に接続される装置とデータ通信を行なう機能を有する。有線技術は、たとえば、イーサネット（登録商標）に基づく技術である。なお、有線技術は、イーサネット（登録商標）に基づく技術に限定されることなく、その他の有線技術であってもよい。
【００４４】
無線技術は、たとえば、ＩＥＥＥ８０２．１１ｇに基づく技術である。なお、無線技術は、ＩＥＥＥ８０２．１１ｇに基づく技術に限定されることなく、その他の無線技術であってもよい。
【００４５】
モデム１７２は、ファクシミリ送信される画像データを変調したり、外部からファクシミリ送信されてきた画像データを復調する機能を有する。
【００４６】
ＮＣＵ１７４は、ＰＳＴＮ４０と接続される回線終端装置である。
【００４７】
（状態情報の表示）
次に、画像形成装置１００が、当該画像形成装置１００が有する複数の機能にそれぞれ対応する複数の処理のうち少なくとも１つの処理（以下、処理Ａという）を実行する場合における処理（以下、処理実行処理という）について説明する。
【００４８】
図４は、処理実行処理のフローチャートである。
【００４９】
ステップＳ１１１では、制御部１１０が、処理Ａを実行する。
【００５０】
ステップＳ１１２では、画像表示処理が行なわれる。画像表示処理では、制御部１１０が、処理Ａに対応する処理対応画像を生成する。そして、制御部１１０は、生成した処理対応画像を、表示部３１０に表示させるための処理を行なう。
【００５１】
処理対応画像内の所定領域には、状態情報が表示される。状態情報は、装置の状態を示す情報である。状態情報は、外部インターフェース情報と、ユーザ情報と、日時情報と、メモリ残量情報とを示す。外部インターフェース情報は、外部インターフェースが画像形成装置１００に接続されているか否かを示す情報である。外部インターフェースは、例えば、ＵＳＢ（Universal Serial Bus）メモリである。なお、外部インターフェースは、ＵＳＢメモリに限定されることなく、例えば、ネットワークケーブルであってもよい。
【００５２】
ユーザ情報は、ネットワーク２０を介して、画像形成装置１００に接続している端末装置を使用しているユーザの名称（以下、ユーザ名という）を示す情報である。日時情報は、現時点の日時を示す。
【００５３】
メモリ残量情報は、ＲＡＭ１２０内に予め設定された画像データ記憶領域に、新たに記憶させることが可能なデータ量に関する情報である。画像データ記憶領域は、画像データを記憶するための領域である。画像データ記憶領域に記憶される画像データは、ファクシミリ受信により取得された画像データ、原稿読取り処理により取得された画像データ等である。
【００５４】
メモリ残量情報は、以下の式（１）により算出される値（単位：％）を示す情報である。
【００５５】
【数１】
2010154137.tif 000003
【００５６】
式（１）において、最大記憶値は、画像データ記憶領域に記憶させることが可能なデータの最大値である。また、使用データ値は、画像データ記憶領域に記憶されている画像データの合計値である。
【００５７】
ここで、最大記憶値は一例として１０メガバイトであるとする。また、使用データ値は１メガバイトであるとする。この場合、式（１）により算出される値は“９０”となる。この場合、メモリ残量情報は、最大記憶値の９０％のデータ量（９メガバイト）のデータを、画像データ記憶領域に新たに記憶させることが可能であることを示す。
【００５８】
なお、状態情報が示す情報は、上記情報に限定されることなく、他の情報であってもよい。
【００５９】
ここで、処理Ａは、画像形成装置１００の状態を、コピー処理を実行可能な状態にするための処理であるとする。ここで、コピー処理は、スキャナ部１５０が前述した原稿読取り処理を行なうことにより取得された画像を紙に印刷する処理である。すなわち、処理Ａが行なわれることにより、画像形成装置１００の状態は変化する。
【００６０】
この場合、表示部３１０には、前述の処理実行処理が行なわれることにより、以下の状態情報４１０を示す処理対応画像４０１が表示される。
【００６１】
図５Ａは、一例としての処理対応画像４０１を示す図である。
【００６２】
図５Ａに示されるように、処理対応画像４０１には、状態情報４１０が表示される。
【００６３】
状態情報４１０は、外部インターフェース情報４２０と、ユーザ情報４３０と、日時情報４４０と、メモリ残量情報４５０とを示す。
【００６４】
外部インターフェース情報４２０は、外部インターフェースが画像形成装置１００に接続されていることを示す。ユーザ情報４３０は、画像形成装置１００に接続している端末装置を使用しているユーザの名称“タロー”を示す。メモリ残量情報４５０は、前述した最大記憶値の９０％のデータ量（９メガバイト）のデータを、画像データ記憶領域に新たに記憶させることが可能であることを示す。
【００６５】
次に、表示部３１０に処理対応画像４０１が表示されているときに、図４の処理実行処理が行なわれたとする。当該処理実行処理において実行された処理Ａは、画像形成装置１００に接続されていた外部インターフェースが、画像形成装置１００から外された場合に行なわる処理であるとする。すなわち、処理Ａが行なわれることにより、画像形成装置１００の状態は変化する。
【００６６】
この場合、表示部３１０には、ステップＳ１１２の処理により、以下の状態情報４１１を示す処理対応画像４０２が表示される。
【００６７】
図５（Ｂ）に示されるように、処理対応画像４０２には、状態情報４１１が表示される。
【００６８】
状態情報４１１は、図５Ａの状態情報４１０と比較して、外部インターフェース情報４２０の代わりに外部インターフェース情報４２１を示す点と、日時情報４４０の代わりに日時情報４４１を示す点とが異なる。それ以外は、状態情報４１０と同様なので詳細な説明は繰り返さない。
【００６９】
すなわち、画像形成装置１００の状態が変化することにより、状態情報が示す情報は変更される。
【００７０】
（処理実行処理の他の例１）
次に、図２の処理実行処理が行なわれた場合の他の例について説明する。ここで、当該処理実行処理において実行された処理Ａは、画像形成装置１００の状態を、ファクシミリ送信可能な状態にするための処理であるとする。すなわち、処理Ａが行なわれることにより、画像形成装置１００の状態は変化する。
【００７１】
この場合、表示部３１０には、ステップＳ１１２の処理により、以下の状態情報５１０を示す処理対応画像５０１が表示される。
【００７２】
図６は、一例としての処理対応画像５０１を示す図である。
【００７３】
処理対応画像５０１は、ファクシミリ送信をするための画像である。処理対応画像５０１には、状態情報５１０が表示される。
【００７４】
状態情報５１０は、図５Ａの状態情報４１０と比較して、メモリ残量情報４５０の代わりにメモリ残量情報５５０を示す点が異なる。それ以外は、状態情報４１０と同様なので詳細な説明は繰り返さない。
【００７５】
メモリ残量情報５５０は、前述した最大記憶値の１００％のデータ量（１０メガバイト）のデータを、画像データ記憶領域に新たに記憶させることが可能であることを示す。
【００７６】
次に、表示部３１０に処理対応画像５０１が表示されているときに、図４の処理実行処理が行なわれたとする。当該処理実行処理において実行された処理Ａは、前述した原稿読取り処理であるとする。原稿読取り処理により、例えば、原稿としての５枚の紙の各々に示される文字、写真等が読みとられたとする。この場合、原稿読取り処理により取得された画像データが、ＲＡＭ１２０内に予め設定された画像データ記憶領域に記憶される。すなわち、処理Ａが行なわれることにより、画像形成装置１００の状態は変化する。
【００７７】
この場合、表示部３１０には、ステップＳ１１２の処理により、以下の状態情報５１１を示す処理対応画像５０２が表示される。
【００７８】
図７は、一例としての処理対応画像５０２を示す図である。処理対応画像５０２には、状態情報５１１が表示される。
【００７９】
状態情報５１１は、図６の状態情報５１０と比較して、日時情報４４０の代わりに日時情報５４１を示す点と、メモリ残量情報５５０の代わりにメモリ残量情報５５１を示す点とが異なる。それ以外は、状態情報５１０と同様なので詳細な説明は繰り返さない。
【００８０】
メモリ残量情報５５１は、前述した最大記憶値の８０％のデータ量（８メガバイト）のデータを、画像データ記憶領域に新たに記憶させることが可能であることを示す。
【００８１】
すなわち、画像形成装置１００の状態が変化することにより、状態情報が示す情報は変更される。
【００８２】
（処理実行処理の他の例２）
次に、図２の処理実行処理が行なわれた場合の他の例について説明する。ここで、当該処理実行処理において実行された処理Ａは、画像形成装置１００においてエラーが発生したことをユーザに報知するための処理であるとする。すなわち、処理Ａが行なわれることにより、画像形成装置１００の状態は変化する。
【００８３】
この場合、表示部３１０には、ステップＳ１１２の処理により、以下の状態情報４１０を示す処理対応画像６０１が表示される。
【００８４】
図８は、一例としての処理対応画像６０１を示す図である。処理対応画像６０１には、状態情報４１０が表示される。状態情報４１０については、前述したので詳細な説明は繰り返さない。
【００８５】
（処理実行処理の他の例３）
次に、図２の処理実行処理が行なわれた場合の他の例について説明する。ここで、当該処理実行処理において実行された処理Ａは、画像形成装置１００の状態を、画像形成装置１００における各種設定を行なうことが可能な状態にするための処理であるとする。すなわち、処理Ａが行なわれることにより、画像形成装置１００の状態は変化する。
【００８６】
この場合、表示部３１０には、ステップＳ１１２の処理により、以下の状態情報４１０を示す処理対応画像７０１が表示される。
【００８７】
図９Ａは、一例としての処理対応画像７０１を示す図である。処理対応画像７０１には、前述した状態情報４１０が表示される。
【００８８】
（処理実行処理の他の例４）
次に、図２の処理実行処理が行なわれた場合の他の例について説明する。ここで、当該処理実行処理において実行された処理Ａは、画像形成装置１００において紙詰まりが発生した場合に行なう処理であるとする。すなわち、処理Ａが行なわれることにより、画像形成装置１００の状態は変化する。
【００８９】
この場合、表示部３１０には、ステップＳ１１２の処理により、前述した状態情報４１０を示す、図９Ｂの処理対応画像７０２が表示される。
【００９０】
（処理実行処理の他の例５）
次に、図２の処理実行処理が行なわれた場合の他の例について説明する。ここで、当該処理実行処理において実行された処理Ａは、画像形成装置１００において読取りの設定を行なうための処理であるとする。すなわち、処理Ａが行なわれることにより、画像形成装置１００の状態は変化する。
【００９１】
この場合、表示部３１０には、ステップＳ１１２の処理により、以下の状態情報４１０を示す処理対応画像７０３が表示される。
【００９２】
図１０は、一例としての処理対応画像７０３を示す図である。処理対応画像７０３には、前述した状態情報４１０が表示される。
【００９３】
以上説明したように、本実施の形態では、画像形成装置１００が有する複数の機能にそれぞれ対応する複数の処理のうち少なくとも１つの処理Ａが実行されることにより、処理Ａに対応する処理対応画像が表示される。また、本実施の形態では、表示部３１０に表示される処理対応画像の種類に依存することなく、当該処理対応画像内の所定領域に、状態情報が表示される。状態情報は、装置の状態を示す情報である。
【００９４】
これにより、装置の状態を常に把握することができ、ユーザの利便性を保つことができる。
【００９５】
なお、状態情報は、上記情報に限定されない。例えば、状態情報は、前述した印刷処理により印字が行なわれた紙の枚数を示す情報であってもよい。この場合、状態情報は、当該印刷処理が行なわれる毎に、更新される。また、状態情報は、ファクシミリ送信における宛先の名称であってもよい。
【００９６】
（機能ブロック図）
図１１は、本発明に係る画像形成装置１００の特徴的な機能構成を示すブロック図である。つまり、図１１は、図２に示されるハードウエア構成によって実現される画像形成装置１００の機能のうち、本発明に関わる機能を示すブロック図である。なお、図１１には、説明のために、表示部３１０と、制御部１１０とを示す。
【００９７】
制御部１１０は、機能的には、処理実行部１１１を含む。
【００９８】
処理実行部１１１は、複数の機能にそれぞれ対応する複数の処理のうち少なくとも１つの処理を実行する。表示部３１０は、処理実行部１１１により実行される処理に対応する画像を表示する。表示部３１０は、表示する画像の種類に依存することなく、表示している画像内の所定領域に、装置の状態を示す情報である状態情報を表示する。
【００９９】
なお、制御部１１０に含まれる、処理実行部１１１は、ハードウエアで構成されてもよい。また、処理実行部１１１は、制御部１１０により実行されるプログラムのモジュールであってもよい。
【０１００】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１０１】
本発明は、装置の状態を常に把握することができ、ユーザの利便性を保つことを可能とする画像形成装置として、利用することができる。
【図面の簡単な説明】
【０１０２】
【図１】本実施の形態におけるネットワークシステムの構成を示す図である。
【図２】画像形成装置内のハードウエア構成を示したブロック図である。
【図３】操作パネル部の外観を示す図である。
【図４】処理実行処理のフローチャートである。
【図５Ａ】一例としての処理対応画像を示す図である。
【図５Ｂ】一例としての処理対応画像を示す図である。
【図６】一例としての処理対応画像を示す図である。
【図７】一例としての処理対応画像を示す図である。
【図８】一例としての処理対応画像を示す図である。
【図９Ａ】一例としての処理対応画像を示す図である。
【図９Ｂ】一例としての処理対応画像を示す図である。
【図１０】一例としての処理対応画像を示す図である。
【図１１】本発明に係る画像形成装置の特徴的な機能構成を示すブロック図である。
【符号の説明】
【０１０３】
１００  画像形成装置
１１０  制御部
１２２  記憶部
１５０  スキャナ部
１６０  印刷部
１７０  通信部
３００  操作パネル部
１０００  ネットワークシステム
【図１】
2010154137.tif 000004
【図２】
2010154137.tif 000005
【図３】
2010154137.tif 000006
【図４】
2010154137.tif 000007
【図５Ａ】
2010154137.tif 000008
【図５Ｂ】
2010154137.tif 000009
【図６】
2010154137.tif 000010
【図７】
2010154137.tif 000011
【図８】
2010154137.tif 000012
【図９Ａ】
2010154137.tif 000013
【図９Ｂ】
2010154137.tif 000014
【図１０】
2010154137.tif 000015
【図１１】
2010154137.tif 000016